(57)【特許請求の範囲】
【請求項１】
餌収納装置において、
（ａ）前記餌収納装置へのアクセスを提供するエラストマー膜（２）であって、前記膜（２）は、揮発性成分に対し透過性があり、蚊又は昆虫の口先が容易に貫通できるように構成されており、紫外線（ＵＶ）露光に起因する劣化に対し耐性を有し、前記膜の厚さは、１ミクロン以上かつ１００ミクロン以下であり、前記膜は、ポリジメチルシロキサン（ＰＤＭＳ）ポリマー；シリコーンゴム；水素添加ブロック・スチレン−エチレン・ブチレン（ＳＥＢＳ）；ブロック・スチレン・イソプレン（ＳＩＢＳ）；浸出および移行に耐える、高分子量の可塑剤によって可塑化されたものを含む脂肪族ポリウレタン；エチレン−ビニル・アセテート；エチレン−アクリルエステル共重合体およびターポリマー；エチレン−ヘキセン共重合体とエチレン−オクテン共重合体を含むプラストマーからなるグループから選択された少なくとも１つのエラストマー材料からなる、エラストマー膜と、
（ｂ）前記餌収納装置に餌を具備させる餌コア（４）であって、前記餌コア（４）は、砂糖を原料とする餌と、少なくとも１つの経口および／または接触による昆虫用毒素と、溶剤とを含み、前記膜と直接接触するように構成されている、餌コア（４）と、
を有することを特徴とする餌収納装置。
【請求項２】
前記膜の厚さは、１ミクロン以上かつ５０ミクロン以下であることを特徴とする請求項１記載の装置。
【請求項３】
前記膜は、封入物（１０）を有することを特徴とする請求項１記載の装置。
【請求項４】
前記膜は、少なくとも１つの孔を有することを特徴とする請求項１記載の装置。
【請求項５】
前記少なくとも１つの孔は、０．１ミクロン以上かつ１００ミクロン以下の直径の開口を有することを特徴とする請求項４記載の装置。
【請求項６】
前記餌コアは、臭気物質をさらに含むことを特徴とする請求項５記載の装置。
【請求項７】
前記餌コアは、前記膜の支持部材として繊維材料をさらに含むことを特徴とする請求項５記載の装置。
【請求項８】
前記膜の厚さは、１ミクロン以上かつ５０ミクロン以下であることを特徴とする請求項１記載の装置。
【請求項９】
餌収納装置を提供する方法において、
（ａ）前記餌収納装置へのアクセスを提供するエラストマー膜（２）を提供するステップであって、前記膜（２）は、揮発性成分に対し透過性があり、蚊又は昆虫の口先が容易に貫通できるように構成されており、紫外線（ＵＶ）露光に起因する劣化に対し耐性を有し、前記膜の厚さは、１ミクロン以上かつ１００ミクロン以下であり、前記膜は、ポリジメチルシロキサン（ＰＤＭＳ）ポリマー；シリコーンゴム；水素添加ブロック・スチレン−エチレン・ブチレン（ＳＥＢＳ）；ブロック・スチレン・イソプレン（ＳＩＢＳ）；浸出および移行に耐える、高分子量の可塑剤によって可塑化されたものを含む脂肪族ポリウレタン；エチレン−ビニル・アセテート；エチレン−アクリルエステル共重合体およびターポリマー；エチレン−ヘキセン共重合体とエチレン−オクテン共重合体を含むプラストマーからなるグループから選択された少なくとも１つのエラストマー材料からなる、ステップと、
（ｂ）前記餌収納装置に餌コア（４）を提供するステップであって、前記餌コア（４）は、砂糖を原料とする餌と、少なくとも１つの経口および／または接触による昆虫用毒素と、溶剤とを含み、前記膜と直接接触するように構成されている、ステップと、
を含むことを特徴とする、餌収納装置を提供する方法。
【請求項１０】
餌収納装置を提供する方法において、
餌コアに直接接触するエラストマー膜（２）を塗布するステップを含み、前記膜（２）は、揮発性成分に対し透過性があり、蚊又は昆虫の口先が容易に貫通できるように構成されており、紫外線（ＵＶ）露光に起因する劣化に対し耐性を有し、前記膜の厚さは、１ミクロン以上かつ１００ミクロン以下であり、前記膜は、ポリジメチルシロキサン（ＰＤＭＳ）ポリマー；シリコーンゴム；水素添加ブロック・スチレン−エチレン・ブチレン（ＳＥＢＳ）；ブロック・スチレン・イソプレン（ＳＩＢＳ）；浸出および移行に耐える、高分子量の可塑剤によって可塑化されたものを含む脂肪族ポリウレタン；エチレン−ビニル・アセテート；エチレン−アクリルエステル共重合体およびターポリマー；エチレン−ヘキセン共重合体とエチレン−オクテン共重合体を含むプラストマーからなるグループから選択された少なくとも１つのエラストマー材料からなり、
前記餌コアは、砂糖を原料とする餌と、少なくとも１つの経口および／または接触による昆虫用毒素と、溶剤とを含む、
餌収納装置を提供する方法。
【請求項１１】
前記膜の厚さは、１ミクロン以上かつ５０ミクロン以下である
ことを特徴とする請求項９又は１０のいずれかに記載の方法。
【発明の詳細な説明】
【技術分野】
【０００１】
本発明は、耐久性のある昆虫餌を収納する装置とその形成方法に関する。特に本発明は、吸血昆虫例えば蚊あるいは蛾を含む口先を有する昆虫に適した昆虫餌収納装置に関する。
【背景技術】
【０００２】
現在の昆虫餌収納装置は最も興味あるかつ有望な昆虫制御技術である。この昆虫餌収納装置は、目標とする昆虫が屋内外を問わず、餌に食うように搭載される。
【０００３】
従来の餌は、誘引物質、食料として昆虫が食する物質（例、砂糖あるいは炭水化物の溶液）、毒素（例：ホウ酸、スピノサッド、ディノテファラン）を含む。餌の形成には更に保存剤と冷却剤とを含む。この様な誘引物質は、昆虫が餌に食うようにし向けかつ毒素が餌を食っている間昆虫の体内に（注入あるいは接触により）入り、その結果昆虫が死に至るものである。
【先行技術文献】
【特許文献】
【０００４】
【特許文献１】米国特許第６６０１３３７号明細書
【特許文献２】米国特許第６７１８６８９号明細書
【０００５】
従来の餌の欠点は外部環境に対し弱いことである。例えば日光、塵、雨、露あるいは重力よる垂れ下がりに弱いことである。餌を膜でコーティングする試みは特許文献１，２に開示されているが、十分機能する解決方法を提供できてはいない。その理由は、永続的な熱、日光に対し膜が弱くかつ膜の高い硬度に起因する。
【０００６】
熱と日光に対する感受性により、餌を包んでいる膜のひび割れや弾性の喪失を引き起こす。糖の餌の垂れ下がることにより材料が失われ、餌の寸法に沿って不均一な分布をもたらす。外側膜を有しない餌は付着したゴミを溜め込み、太陽の放射（特にＵＶ範囲）により、短い時間外に晒しただけでも深刻な劣化を引き起こす。この様な品質劣化は、弾性の損出、硬化、脆くなることにつながる。従来の一般的な膜の硬さにより、多くの昆虫の針（即ち口先針）が膜を刺すことができず、その結果餌にまで到達することができない。更に膜用の構成要素 (building blocks)として用いられる従来の材料は、臭気物質の分子に対し不浸透性であり、昆虫を誘引するために臭気物質が膜の外まで移行できない。更に従来の膜材料の少なくとも一部は微生物の攻撃に対し弱い。
【０００７】
耐久性の昆虫餌収納装置とそれを提供する方法が望まれている。この様な装置と方法は、膜でコーティングした餌の、太陽、霧、雨、露、重力に基づく落下、微生物の攻撃、加水分解に対する耐性を改善し、昆虫が餌の外側で拡散する臭気物質を検知できる、即ち、臭いを嗅ぎ取ることを可能とし、かつ昆虫の口先針が餌の膜を容易に貫通し、餌を食べる。特に蚊のような口先を持つ昆虫に対し有効である。
【発明の概要】
【発明が解決しようとする課題】
【０００８】
本発明の目的は、耐久性のある昆虫餌を収納する装置とその形成方法を提供することである。
【０００９】
昆虫の餌は、液状の特性を具備するシロップ状のものである。この様な餌は、容器あるいは餌の表面から下がるあるいは重力により失われることになる。更に餌は昆虫により得られる食物源（例えば、砂糖）を作る必要がある。かくして粘性で露出された表面が採用される。これはゴミあるいは餌の表面に吸収されたあるいは付着した昆虫の死骸からデブリスをすぐに形成する。この様なデブリスは、餌の表面の大部分をブロックし、その結果その効果を減らしてしまう。雨滴に晒されることにより、餌そのものの損失あるいは劣化を引き起こすことにより、餌の効能を劣化させることになる。
【課題を解決するための手段】
【００１０】
本発明の一実施例より以下のような特徴のある耐久性の昆虫餌収納装置を提供できる。即ち、
（１）雨滴による劣化耐性の改善。
（２）表面粘着の低下の改善
（３）重力に起因する垂れ下がり傾向を減らす。
（４）微生物による劣化の耐性の改善。
（５）加水分解に対する耐性の改善。
（６）蚊を含む昆虫の口先針による膜の貫通が容易となること。
【００１１】
本発明の昆虫餌を収納する装置は、（ａ）昆虫餌を収納する装置に昆虫がアクセスできる膜を有する。前記膜は、揮発性成分に対し透過性があり、昆虫の口先が容易に貫通できる構造であり、外部環境又は室内環境により引き起こされる劣化に対し耐性を有する。
【００１２】
好ましくは、前記膜の厚さは５０ミクロン以下である。
好ましくは、前記膜の厚さは１００ミクロン以下である。
好ましくは、前記膜の硬さはショアＡ硬度で５０以下である。
好ましくは、前記膜の硬さはショアＡ硬度で６０以下である。
好ましくは、前記膜は封入物を有する。
好ましくは、前記膜は少なくとも１つの孔を有する。
好ましくは、前記少なくとも１つの孔の直径は１００ミクロン以下である。      
【００１３】
好ましくは、本発明の昆虫餌を収納する装置は、（ｂ）前記昆虫餌を収納する装置に配置される餌コアを更に有する。前記餌コアは、砂糖を原料とする餌と、経口あるいは接触による昆虫用毒素と、溶剤を含み、前記餌コアは、前記膜と直接接触している。
好ましくは、前記餌コアは臭気物質を有する。
好ましくは、前記餌コアは前記膜の支持部材としての繊維材料を含む。
【００１４】
本発明の昆虫餌を収納する装置を製造する方法は、（ａ）昆虫餌を収納する装置に昆虫がアクセスできる膜を用意するステップを有する。前記膜は、揮発性成分に対し透過性があり、昆虫の口先が容易に貫通できる構造であり、外部環境又は室内環境により引き起こされる劣化に対し耐性を有する。
【００１５】
好ましくは、前記膜の厚さは５０ミクロン以下である。
好ましくは、前記膜の厚さは１００ミクロン以下である。
好ましくは、前記膜の硬さはショアＡ硬度で５０以下である。
好ましくは、前記膜の硬さはショアＡ硬度で６０以下である。
好ましくは、前記膜は封入物を有する。
好ましくは、前記膜は少なくとも１つの孔を有する。
好ましくは、前記少なくとも１つの孔の直径は１００ミクロン以下である。      
【００１６】
好ましくは、本発明の昆虫餌を収納する装置を製造する方法は、（ｂ）前記昆虫餌を収納する装置に配置される餌コアを用意するステップを更に有する。前記餌コアは、砂糖を原料とする餌と、経口あるいは接触による昆虫用毒素と、溶剤を含み、前記餌コアは、前記膜と直接接触している。
好ましくは、前記餌コアは臭気物質を有する。
好ましくは、前記餌コアは前記膜の支持部材としての繊維材料を含む。
【００１７】
本発明の昆虫餌を収納する装置を製造する方法は（ａ）餌コアに直接接触する膜を用意するステップを有する。前記膜は、揮発性成分に対し透過性があり、昆虫の口先が容易に貫通できる構造であり、外部環境又は室内環境により引き起こされる劣化に対し耐性を有し、前記餌コアは、砂糖を原料とする餌と、経口あるいは接触による昆虫用毒素と、溶剤とを含む。
【図面の簡単な説明】
【００１８】
【図１】本発明の一実施例の無孔膜を有する耐久性のある昆虫餌収納装置の断面図。
【図２】本発明の一実施例の有孔膜を有する耐久性のある昆虫餌収納装置の断面図。
【図３】本発明の一実施例の封入物を具備する耐久性のある昆虫餌収納装置の断面図。
【図４】本発明の一実施例の複数の繊維量材料と混合したあるいはそれに含浸させた餌コアを具備する耐久性のある昆虫餌収納装置の断面図。
【発明を実施するための形態】
【００１９】
図１において、本発明の昆虫餌収納装置は、耐久性のある外膜（ＯＭ: Outer Membrane）２を有する。この外膜（ＯＭ）２は餌コア（ＢＣ:Bait Core）４を収納／埋設する。餌コア（ＢＣ）４は、砂糖を原料とする餌と、経口あるいは接触による昆虫用毒素と、水あるいは他の溶剤を含む。更に好ましくは昆虫の誘引剤としての臭気物質あるいは他の揮発性物質（ＯＤ）を含んでもよい。
【００２０】
図１に示す外膜（ＯＭ）２は無孔であり、水（雨又は他の霧等）が餌コア（ＢＣ）４内にある砂糖を溶かしたり洗い流したりしないようにしている（即ち浸食しないようにしている）。他方で外膜（ＯＭ）２は、あらゆる揮発性物質の揮発性成分に対し透過性があり、本発明の昆虫餌収納装置が遠くから昆虫を引き寄せるようにしている。外膜（ＯＭ）２は十分薄くかつ柔らかいために、昆虫の触角（口先）が餌の表面を貫通できるようになっている。つまり外膜（ＯＭ）２は、強靱でかつ弾性があり、昆虫の口先が貫通できる程度に柔軟性がある。
【００２１】
ポリマー材料を外膜（ＯＭ）２に対し上記した必要要件に適合させることは、多くの利点がある。ＵＶ耐性のある大部分のエラストマ（例、カーボンブラックを充填したブチルゴムあるいは他のアクリルポリマー（carbon black-filled butyl rubber or acrylic polymer））は硬く昆虫の口先は貫通できない。しかし多くの柔らかなエラストマは、雨と露により浸出することのできる低分子量の可塑剤（molecular-weight plasticizers）でもって可塑化される（例えば、可塑化ＰＶＣ）。この様な柔らかいエラストマの大部分（例、ポリウレタン、ネオプレン、天然ゴム、ブタジエンゴム）はＵＶ光と微生物の攻撃に対し耐性を有さない。
【００２２】
しかし意外なことに、ある種特殊なエラストマは、必要とされるＵＶ耐性と柔軟性を示し、昆虫の刺穿に対し抵抗性が低く、加水分解に対し安定性があり、臭気物質（ＯＤ）の揮発物に対し透過性があり、微生物の攻撃に対し耐性があり、雨による浸食に耐性がある。この様な柔らかなエラストマの候補は、ポリジメチルシロキサンポリマー（polydimethyl siloxanes(PDMS)polymers);  シリコーンゴム（silicone rubber）; 脂肪族ポリウレタン（aliphaticpolyurethanes）（浸出および移行に耐える、高分子量の可塑剤によって可塑化されたものを含む）; エチレン−ビニル・アセテート（ethylene-vinyl acetate）; エチレン−アクリルエステル共重合体およびターポリマー（ethylene-acrylicester copolmers and terpolymers）; エチレン−プロピレン・ゴム（ethylene-propylene rubber）; プラストマー（plastomers（特にエチレン−ヘキセン共重合体とエチレン−オクテン共重合体（ethylene-hexene and ethylene-octene copolymers)）; 熱可塑性硫化ゴム（thermoplastic vulcanized rubber(TPV)）; 水素添加ブロック・スチレン−エチレン・ブチレン（hydrogenated block styrene-ethylene butylenes(SEBS)）; ブロック・スチレン・イソプレン（block styrene isoprene(SIBS)）である。
【００２３】
この様なポリマー材料に加えて、外膜（ＯＭ）２は更に次のものを含んでもよい。高分子量の脂肪族可塑剤（high molecular-weight aliphatic plasticizer）、ＵＶスタビライザ（UV stabilizer）、光スタビライザ（light stabilizer）、カーボンブラック（carbon black）；顔料と染料（pigment and dyes）、充填材（filler）、殺バクテリア剤（bactericides）、殺菌剤（fungicides）あるいは微生物の活性抑制剤（microbial-activity suppressant）を含む。
【００２４】
本発明の一実施例においては、外膜（ＯＭ）２はショアＡ硬度が最大９０であり、他の実施例においては最大６５である。他の実施例においては外膜（ＯＭ）２用に使用されるエラストマのショアＡ硬度は最大４５であり、他の実施例においては外膜（ＯＭ）２のショアＡ硬度は４５未満である。
【００２５】
外膜（ＯＭ）２を製造するのに適した好ましいエラストマは以下のものを含む。シリコーンゴム、シリコーンエラストマー、シリコーンゲル；例えば、Dow Corning社製のSilasticL RTV, DC7091と、Momentive Performance Materials社製のSilopren LSR 2530 とSilopren LSR 2742である。
【００２６】
外膜（ＯＭ）２を製造するのに適したポリウレタンは以下のものを含む。Desmopan DP85085A(バイエルン社製)を含む。これはポリマー脂肪族ポリエステル可塑剤（10-20%可塑剤）により可塑化されたものである。外膜（ＯＭ）２を製造するのに適したエチレン−アクリル−エステル高ポリマーは、Lortyl 37EH550（アルケマ社製）を含む。これは、更に形成され、ミネラルオイルにより更に柔らかくされる。
【００２７】
本発明の一実施例によれば、外膜（ＯＭ）２の厚さは１−３００ミクロンの間である。他の実施例にでは、外膜（ＯＭ）２の厚さは１−１００ミクロンの間である。餌が小さな昆虫例えば蚊を殺すような実施例においては、外膜（ＯＭ）２の厚さは１−５０ミクロンの間である。意外なことに、外膜（ＯＭ）２の厚さは１−５０ミクロンの間であると、ショアＡ硬度は６０以下であり、蚊の針は外膜（ＯＭ）２を容易に貫通できる。
【００２８】
本発明の一実施例は、餌コア（ＢＣ）４の上に外膜（ＯＭ）２を構築する方法を提供する。この方法は以下のプロセスを有する。
（１）少なくとも１個のポリマー（例、熱可塑性ポリマー、熱硬化性ポリマー、それらの混合物）を溶剤の中に溶かしたり分散させたりして、溶液、分散液、エマルジョン（Solution, Dispersion, Emulsion: 以下ＳＯＬと称する）を形成する。
（２）ＳＯＬを餌コア（ＢＣ）４の上に、スプレイ、ディッピング、ブラッシング、ドクターブレードによるスプレディング、ローリング、グラビア印刷により塗布する。
（３）ＳＯＬ状態から溶剤を乾燥し耐久性のある昆虫餌収納装置を形成する。
【００２９】
本発明の他の実施例によれば、外膜（ＯＭ）２を餌コア（ＢＣ）４の上に構築する方法は、以下のプロセスを有する。
（１）少なくとも１個のポリマー（例、熱可塑性ポリマー、熱硬化性ポリマー、それらの混合物）を溶剤の中に溶かしたり分散させたりして、溶液、分散液、エマルジョン（Solution, Dispersion, Emulsion: 以下ＳＯＬと称する）を形成する。
（２）ＳＯＬを繊維、布，繊維性組織，紙，マット等の上に、スプレイ、ディッピング、ブラッシング、ドクターブレードによるスプレディング、ローリング、グラビア印刷により塗布する。
（３）ＳＯＬ状態から溶剤を乾燥し、エラストマー・マトリックスの形態で、不連続相の繊維を有する合成皮膜（以下ＥＬＡＳＣＯＭＰと称する）を得る。
（４）このＥＬＡＳＣＯＭＰを餌コア（ＢＣ）４に取り付けて、耐久性のある昆虫餌収納装置を形成する。
【００３０】
本発明の他の実施例によれば、外膜（ＯＭ）２を餌コア（ＢＣ）４の上に構築する方法は、以下のプロセスを有する。
（１）少なくとも１個のポリマー（例、熱可塑性ポリマー、熱硬化性ポリマー、それらの混合物）を溶剤の中に溶かしたり分散させたりして、溶液、分散液、エマルジョン（Solution, Dispersion, Emulsion: 以下ＳＯＬと称する）を形成する。
（２）ＳＯＬをモールド又はツール（即ち乾燥したＳＯＬに付着しない表面）上に、スプレイ、ディッピング、ブラッシング、ドクターブレードによるスプレディング、ローリング、グラビア印刷により塗布する。
（３）ＳＯＬ状態から溶剤を乾燥し、合成皮膜を得る。
（４）この合成皮膜をモールド又はツールから剥ぎ取る。
（５）この合成皮膜を餌コア（ＢＣ）４に貼り付けて、耐久性のある昆虫餌収納装置を形成する。
【００３１】
一実施例においては、ＳＯＬは少なくとも１つのポリマーを含む。その結果溶剤はポリマーの溶剤に対する重量比で０．１−１００％の濃度である。他の実施例においてはＳＯＬは溶剤を含まない。これを以降１００％濃度の固体ＳＯＬと称する。１００％濃度の固体ＳＯＬの一例は、少なくともポリマーを含む。このポリマーの一例は、単量子ポリウレタン（monomeric polyurethane）又はオリゴマー・ポリウレタン（oligomeric polyurethane）、アクリレート（acrylate）、メタクリレート（methacrylate）、アミノ・レジン（amino resin）、シリコーン（silicone）、ウレタン・アクリレート（urethane-crylate）である。
【００３２】
図２において、有孔の外膜（ＯＭ）６は、雨（又は湿分）が入って餌コア（ＢＣ）４内の砂糖が溶け出すのを阻止する。外膜（ＯＭ）６は、ＯＤの揮発性成分に対し非常に透過性があり、昆虫餌収納装置が昆虫を遠くから引き寄せる。外膜（ＯＭ）６の孔は昆虫の口先が容易に貫通できるように構成されている。
【００３３】
本発明の一実施例においては、外膜（ＯＭ）６は、物理的プロセス又は化学的プロセスを乾燥した被膜に施して孔を形成する。物理的な孔開け作業の一例は、パンチング、レーザー・ドリリング、サンド・ブラスト等である。化学的な孔開け作業の一例は、水溶性の化合物（例えば、砂糖又は塩）を外膜（ＯＭ）６内に分散させ、その後水あるいは蒸気に晒して粒子を溶かし外膜（ＯＭ）６に孔を開けるものである。
【００３４】
本発明の一実施例において、外膜（ＯＭ）６の孔の開口の直径（形状が不規則な場合は平均直径）は、０．１ミクロンから１ｍｍである。他の実施例においては、平均直径は、１−５０ミクロンの間である。更に別の一実施例においては、孔の個数の平均密度は１平方ｃｍ当たり、０．０１−１百万個である。
【００３５】
この様な孔により、餌コア（ＢＣ）４に含まれる臭気物質（ＯＤ）を外膜（ＯＭ）６の外に拡散させて昆虫を誘引する。昆虫の口先（口針）が餌コア（ＢＣ）４に容易に貫通できるのは、外膜（ＯＭ）６の表面に弱いポイントを提供することに行われる。貫通孔の適度な大きさと密度は、臭気物質（ＯＤ）が外に拡散するのを容易にし、更に外膜（ＯＭ）６を昆虫の口先が容易に貫通できるようにしている。更に雨、ゴミ、吸収、露、日光等に対する耐性を、本発明の保護用の膜がない場合よりも大きくしている。
【００３６】
図３において、ドープした外膜（ＯＭ）８は封入物１０を有する。即ち封入物１０を孔に加えてあるいはそれに代えて有する。かくして、餌コア（ＢＣ）４からの臭気物質（ＯＤ）が外に拡散するのを容易にする。かつ外膜（ＯＭ）８を通して虫の口先が刺すのを容易にする。封入物１０（図３のＯＭ８の一方の側にのみ示されている）は、ＳＯＬを固体粒子あるいは流体非混合物質と混合させて、封入物１０が、膜の溶液から溶剤を除去した後も、外膜（ＯＭ）８のマトリックス内に残留するようにして形成する。封入物１０は、未加工膜より機械的に弱くなっていること及び＼又は臭気物質（ＯＤ）に対し化学的により透過性を持っていることを特徴とする。
【００３７】
封入物１０は外膜（ＯＭ）８に、含浸／吸収される、あるいは外膜（ＯＭ）８の表面にコーティングされる。外膜（ＯＭ）８内の封入物１０を固体粒子から形成する物の一例は、タルク（talc）, ゼオライト（zeolites）, 溶融シリカ（fumed silica）, スターチ（starch）, セルロース（cellulose）, クレイ（clay）, カルシウムカーボナイト（calcium carbonate）, ワックス（wax）, パラフィン（paraffin）, 石けん（soap）, 脂肪酸アミド（fatty-acid amide）, 脂肪酸塩（fatty-acid salt）,空気を含む。流体物質から外膜（ＯＭ）８内に封入物１０を形成する物は、植物オイル、パラフィンオイル、可塑剤、シリコーン流体、水、グリコール、グリセロール、アルコール、砂糖、脂肪酸エステル、非イオン性界面活性剤を含む。
【００３８】
図４において、繊維性クロス、繊維性シート、は折りたたみロール、折りたたみシートからの繊維性材料が、餌コア（ＢＣ）４内に入れられ、これにより餌コア（ＢＣ）４の垂れ下がる現象に対する耐性を改善する。特に昆虫餌が垂直表面あるいは傾斜表面に置かれた場合に顕著である。
【００３９】
この改善された垂れ下がる現象に対する耐性は、餌コア（ＢＣ）４の砂糖を原料とする餌を、布、繊維、紙、発泡スチロール、繊維性マット（好ましくはマット１２と称する）を吸収させること、又はマット１２に餌を含浸させることにより得られる。一実施例においては、マット１２は、ファイバ又はコットン（綿）のウィスカ（ひげ）、麦わら、竹、パイナップル、ラミエ（ramie）、セルロース、ヘンプ（hemp）、フラックス、シサール（sisal）、コイール（coir）、紙、木材、葉、レーヨン、ポリエステル、ポリアミド、ポリアクレロニトリル（polyacrylonitride）、ビスコース（viscose）、ジュウト（jute）、ポリプロピレン、ポリエチレン、リオセル（luocell）を含む。
【００４０】
他の実施例においては、マット１２は、開放セルのポリウレタン発泡材、ポリウレ発泡材、メラミン発泡材、シリコーン発泡材、ポリウレピン発泡材を含む。他の実施例においては、餌コア（ＢＣ）４の砂糖を原料とする餌とマット１２との間の重量比は、０．０１−１００である。餌コア（ＢＣ）４の砂糖を原料とする餌はマット１２内に充填される。リッピング、プレッシング、スプレー、スクイーズ、ローラーコーティング、真空含浸、圧力下によるモールディングにより、餌をマット１２内に含有させる。
【００４１】
限定された数の実施形態に関して本発明を説明してきたが、本発明の多数の変形、修正および他の適用を成し得ることが理解されるであろう。
【図１】
0006611609.tif 000002
【図２】
0006611609.tif 000003
【図３】
0006611609.tif 000004
【図４】
0006611609.tif 000005